(57)【要約】      （修正有）【課題】ガラスやプラスチック等の透明容器に収納したプリザーブドフラワーや創作したミニチュア作品等いろいろなアクセサリー作品を使用する用途や気分に合わせて一作品ずつ簡単に交換可能にしたアクセサリー収納容器を提供する。【解決手段】フランジ付き透明ドーム１とアクセサリー基板６から構成される。フランジ付き透明ドームは、麦わら帽子のような形状をしており、表側が半円球形であり、裏側から見るとフランジの中央にドーム空間が広がる。アクセサリー作品１０はアクセサリー基板一枚ごとに設けられる。アクセサリー基板は、透明ドームの裏側からドームに収納し、マグネットホック４ａ、４ｂにより着脱できる。また、アクセサリー基板には鉄板８を内設し、アクセサリー作品に内蔵の磁石に対して被磁着性を持たせると共に、アクセサリー基板自身の強度を保持させている。【選択図】図４
0003195026.tif 000002
【実用新案登録請求の範囲】
【請求項１】
フランジ付き透明ドーム（１）は、麦わら帽子のような形状をしており、表側が半円球形であり、裏側から見ると幅広リングすなわちフランジ中央にドーム空間が広がっており、フランジ付き透明ドーム（１）のドーム部分は立体的なアクセサリー作品を飾れる空間になり、アクセサリー作品はアクセサリー基板（６）一枚ごとに設けて、いろいろなアイデアで創作したアクセサリー作品を多数用意し、使う人のその時々の好みに合わせて取替えできるようにし、アクセサリー基板（６）は平盤の形状をしており、アクセサリー作品は接着剤（１１）によりアクセサリー基板（６）に取り付け、アクセサリー作品で飾られたアクセサリー基板（６）は、フランジ付き透明ドーム（１）の裏側から収納し、マグネットホック（４ａ，４ｂ）により着脱できるようにし、マグネットホック（４ａ、４ｂ）はフランジ付き透明ドーム（１）とアクセサリー基板（６）の外周に沿って設置し、同心円上でかつ同寸法同位置に設け、アクセサリー基板（６）には鉄板（８）を内設し、磁石内蔵アクセサリー人形（１４）やその他の磁石内蔵アクセサリー作品に対して被磁着性を持たせると共にアクセサリー基板（６）自身の強度を保持させていることを特徴とするアクセサリー収納容器。
【考案の詳細な説明】
【技術分野】
【０００１】  本考案はプリザーブドフラワーやミニチュア作品等のアクセサリーの収納容器に関するものである
【背景技術】
【０００２】  ガラスやプラスチック等の透明の容器から内部のアクセサリーたとえばプリザーブドフラワー等が見える置物はデパートやフラワーショップなどで広く売られており、各家庭のリビングや玄関にさりげなく置かれ、気品と華やかさを演出している。たとえば登録実用新案文献１に見られるように透明の容器に収納した花は観る人達を和ませている。
【先行技術実用新案文献】
【０００３】
【登録実用新案文献１】
登録実用新案第３１６６２０１号広報
【考案の概要】
【考案が解決しようとする課題】
【０００４】  しかしながら登録実用新案文献１に観られるように容器はシーリング材で密閉固定構造となっているので、一度透明の容器に花やプリザーブドフラワーやミニチュア作品を収納してしまうと飽きてしまったり、心機一転になって模様替えをしたくなった場合、そう簡単に取り出したり別の新たな作品と取替えたりできない大きな欠点があった。
【課題を解決するための手段】
【０００５】  フランジ付き透明ドームとアクセサリー基板から構成されるアクセサリー収納容器を考案した。フランジ付き透明ドームは、麦わら帽子のような形状をしており、表側が半円球形であり、裏側から見ると幅広リングすなわちフランジの中央にドーム空間が広がっている。フランジ付き透明ドームのドーム部分は立体的なアクセサリー作品を飾れる空間になる。アクセサリー作品はアクセサリー基板一枚ごとに設けて、いろいろなアイデアで創作したアクセサリー作品を多数用意し、使う人のその時々の好みに合わせて取替えできるようにした。
アクセサリー基板は平盤の形状をしている。アクセサリー作品は接着剤によりアクセサリー基板に取り付ける。アクセサリー作品で飾られたアクセサリー基板は、フランジ付き透明ドームの裏側からドームに収納し、マグネットホックにより着脱できるようにした。マグネットホックはフランジ付き透明ドームとアクセサリー基板の外周に沿って設置し、同心円上でかつ同寸法同位置に設けた。アクセサリー基板には鉄板を内設し、アクセサリー作品に内蔵してある磁石に対して被磁着性を持たせると共に、アクセサリー基板自身の強度を保持させている。
【考案の効果】
【０００６】  収納されたアクセサリー作品はフランジ付き透明ドーム表側から鑑賞するのであるが、ドーム形状のためドーム真上からや真横からといろいろな角度からアクセサリー作品の鑑賞が楽しめる。また、刺繍のような平坦状のアクセサリー作品も透明ドームの内側の面に沿わせることにより立体感も得られる。アクセサリー基板の着脱はマグネットホック式で構成してあるため、簡単にすばやくできる。いろいろなアクセサリー作品がスムーズに交換できることは気分転換に非常に良い。フランジ付き透明ドームとアクセサリー基板に設けたマグネットホックの取付け位置は同一寸法のため、既に本発明のアクセサリー収納容器を購入し所持している人達は、お互い同士でアクセサリー交換もできるようになった。したがって、いろいろな作品の交換をきっかけとしてコミニケーションの広がりや和も図れる。アクセサリー作品は接着剤でアクセサリー基板に取り付けるが、アクセサリー基板には鉄板が内設してあるので、磁石内蔵のアクセサリー作品も簡単にアクセサリー基板に取り付けられる。
【考案を実施するための形態】
【０００７】  以下本考案の実施例を説明する。
図１は本考案の構成部品であるフランジ付き透明ドーム（１）を示す図である。フランジ付き透明ドーム（１）はプラスチック製であり、ドーム径は直径が約７５ｍｍ、高さは約３５ｍｍである。フランジの直径は約１１０ｍｍであり通常的に最も妥当のサイズであるが、取付け対象の取付け面のサイズに応じて様々なサイズに形成されてもさしつかえなく、おおよそこのサイズ比率において作られることが望ましい。フランジ外底面（５）すなわちドームと反対側にはマグネットホックの凹（４ａ）を設けた。マグネットホック式のホック機構は、磁石部分の凹と鉄部分の凸が嵌着して着脱が出来るものである。図２はアクセサリー作品を取付けるためのアクセサリー基板（６）である。アクセサリー基板外周（７）の縁沿いにはマグネットホックの凸（４ｂ）を設けた。アクセサリー基板（６）は一枚の厚みが約２ｍｍであり、直径は約１１０ｍｍの円盤状である。図３はアクセサリー基板（６）にアクセサリー作品となるプリザーブドフラワー（１０）を接着剤（１１）で取付けた。図４はアクセサリー基板（６）をフランジ付き透明ドーム（１）にセットした状態を示したアクセサリー収納容器（１２）である。アクセサリー基板（６）とフランジ付き透明ドーム（１）のフランジ外底面（５）はマグネットホック凹（４ａ）とマグネットホック凸（４ｂ）により確実に嵌着している。他のアクセサリー作品と取り替える時には、アクセサリー基板の縁に指をそえて軽く力を入れるとマグネットホック凹（４ａ）からマグネットホック凸（４ｂ）が外れるので、新しくアクセサリー基板（６）にアレンジしたアクセサリー作品と入れ替え交換ができる。
図５は、磁石内蔵アクセサリー人形（１３）を鉄板（８）が内設してあるアクセサリー基板（６）に磁石（１４）の吸着力によって取付けた一例を示す。磁石のためすばやいアクセサリー作品の構成が行える利点がある。
アクセサリー基板（６）に設けたアクセサリー作品を収納するフランジ付き透明ドーム（１）の形状は半円球形すなわちドーム形状に限定されるものではなく、扁平な立体形状、円柱型、ハート型などいろいろな形に構成しても同様の効果をもたらす。また、創作した数多くのアクセサリー作品はリビングのインテリアとしても飾ることができる。外出先の雰囲気に適したアクセサリー作品を収納したアクセサリー収納容器自体をねじやマジックテープなどでかばんに取り付け、お出かけしてみるのもなかなか気分が良く便利である。
平坦状の刺繍作品も透明ドーム（２）内側の曲面に沿わせて設置すれば立体感が得られる。したがって、ドーム形状をしているアクセサリー収納容器（１２）の持ち主たちは、アクセサリー作品に対する創作や表現力も大きく広がっていく。
【図面の簡単な説明】
【０００８】
【図１】  本考案の一部分であるフランジ付き透明ドームの形状を示す側面図
【図２】  本考案の一部分であるアクセサリー基板を示す図であり、（ａ）はその平面図（ｂ）はその側面図
【図３】  本考案の一部分であるアクセサリー基板の使用状態を示す図であり、（ａ）はその平面図（ｂ）はその側面図
【図４】  本考案の使用状態を示す実施例の側面図
【図５】  本考案の一部分である鉄板を内設してあるアクセサリー基板に磁石付き人形を取付けた実施例を示す平面図
【符号の説明】
【０００９】１      フランジ付き透明ドーム
２      透明ドーム
３      フランジ
４      マグネットホック
４ａ    マグネットホック凹
４ｂ    マグネットホック凸
５      フランジ外底面
６      アクセサリー基板
７      アクセサリー基板外周
８      鉄板
９      アクセサリー基板に取り付けたアクセサリー作品の一例
１０    プリザーブドフラワー
１１    接着剤
１２    アクセサリー収納容器
１３    磁石内蔵アクセサリー人形
１４    磁石
【図１】
0003195026.tif 000003
【図２】
0003195026.tif 000004
【図３】
0003195026.tif 000005
【図４】
0003195026.tif 000006
【図５】
0003195026.tif 000007